(57)【要約】【課題】高速で内部処理を行うこと、データ形式が異なった場合においても高速でデータ処理を行うこと、必要とされる圧縮形式をもった圧縮画像データを転送することが可能な画像データ処理装置を提供する。【解決手段】伸張部２２０及び圧縮部２４０を経てインタフェース部２１０への戻る経路とは別に、伸張、圧縮を行わないでデータを処理し、インタフェース部２１０に転送するデータ処理部２５０と、このデータ処理部からインタフェース部２１０に戻る１つの回路に汎用ヘッダ付加部２１１を設け、データ処理部２５０から汎用ヘッダ付加部２１１へ転送される圧縮された画像データに汎用ヘッダを付加したのち、インタフェース部２１０へ転送する。インタフェース部２１０はデータ処理部２５０から受信した圧縮画像データを画像バス３００に転送し、データ保持装置１０に保持する。【選択図】        図４
2004289404.tif 000002
【特許請求の範囲】
【請求項１】
データ保持手段から送信された画像データを同一画像バス上に配置された状態で送受信するためのインタフェース手段と、圧縮された画像データを伸張する伸張手段と、伸張された画像データを圧縮する圧縮手段と、画像データを処理するデータ処理手段とを備えた画像処理装置において、
汎用圧縮形式のヘッダを付加するヘッダ付加手段を備え、
前記ヘッダ付加手段は圧縮画像データに圧縮形式にあった汎用のヘッダを付加することを特徴とする画像データ処理装置。
【請求項２】
前記データ処理手段は、同じ圧縮形態の場合、伸張せずに圧縮されたままの画像データをデータ処理することを特徴とする請求項１記載の画像データ処理装置。
【請求項３】
複数のそれぞれ異なる前記伸張手段及び圧縮手段と、
異なる圧縮形態の画像データを選択する選択手段と、
伸張作業速度の順番を記憶する記憶テーブルと、
前記記憶テーブルに記憶された伸張作業速度の順番に基づいて伸張作業速度の速い圧縮形態を伸張手段に、伸張された画像データを伸張されない画像データと同じ形態に圧縮を行うようにそれぞれを制御する選択制御手段と、
をさらに備えていることを特徴とする請求項１または２記載の画像データ処理装置。
【請求項４】
伸張、圧縮方式を外部から指示する指示手段と、
圧縮画像データ形式を指示された方式に基づいて切り替える切り替え手段と、をさらに備えていることを特徴とする請求項３記載の画像データ処理装置。
【請求項５】
請求項１ないし４のいずれか１項に記載の画像データ処理装置と、
前記画像データ処理装置によって処理された画像データに基づいて記録媒体に可視画像を形成する画像形成手段と、
を備えてなる画像形成装置。
【請求項６】
原稿を読み取る読み取り手段と、
前記読取手段によって読み取られた原稿の画像データを処理する請求項１ないし４のいずれか１項に記載の画像データ処理装置と、
を備えてなる画像読み取り装置。
【請求項７】
請求項１ないし４のいずれか１項に記載の画像データ処理装置の各処理手段の処理を実行する手順を備えていることを特徴とするコンピュータプログラム。
【請求項８】
請求項７記載のコンピュータプログラムがコンピュータによって読み出し可能に記録されていることを特徴とする記録媒体。
【発明の詳細な説明】
【０００１】
【発明の属する技術分野】
本発明は画像データの圧縮と伸張を伴う画像データの処理を行う画像データ処理装置、この画像データ処理装置を使用したディジタル複写機、ファクシミリ等の画像形成装置、イメージスキャナ等の画像読み取り装置、画像データ処理装置として機能するコンピュータプログラム及びこのコンピュータプログラムを記録した記録媒体に関する。
【０００２】
【従来の技術】
図７ないし図９は従来から実施されている画像データ処理装置の処理プロセスを示す図である。従来、２つの画像データ（１），（２）に対してデータ処理を行う場合、図７の画像データ保持装置（メモリ装置）１００に保持された画像データ（１），（２）を、画像バス３００を介してデータ処理装置２００に転送する。データ処理装置２００では画像バス３００から転送された画像データ（１），（２）を受け取り、一旦メモリに記憶して（▲１▼））所定の処理を行う（▲２▼）。データ処理装置２００でデータ処理が行われた画像データ（３）は再び画像バスを介しデータ保持装置１００または画像バスにつながれた別の処理手段などへ転送される。なお、データ保持装置１００はＨＤＤなどの大容量記憶装置１１０を有し、ＨＤＤ１１０内に画像データを保持する。
【０００３】
このようにデータ処理装置２００へ転送される２つの画像データ（１），（２）とデータ処理装置２００から転送されるデータ処理結果の画像データ（３）が画像バス３００を通るため、画像バス３００がこれらの転送される画像データに占有される。さらにすべての画像データ（１），（２），（３）は圧縮データとは違いそのままの容量なので転送するに要する時間がかかる。
【０００４】
図８に示した従来技術では、データ保持装置１００に保持された画像データ（１），（２）には圧縮が施されており、図７に示した従来技術と同じように画像データ保持装置１００に保持された画像データ（１），（２）を、画像バス３００を介してデータ処理装置２００へ転送する。画像バス３００を介しデータ処理装置２００に転送しても画像データ（１），（２）が圧縮されているため、これらの画像データによる画像バスの占有率を抑えることができ、さらに圧縮された画像データ（１），（２）はデータ量が少ないため転送時間を短縮することが可能である。
【０００５】
一方、データ処理装置２００では画像バス３００から転送された画像データ（１），（２）を受け取り、所定の処理を行う。データ処理装置２００では２つの画像データ（１），（２）を処理する必要があるため画像データ（１），（２）を伸張する（▲１▼）。伸張された画像データ（１），（２）は一度データ処理装置２００に保持される（▲２▼）。伸張した画像データ（１），（２）を保持するためにデータ処理装置２００ではメモリを搭載する。伸張された２つの画像データをメモリより読み出し、データ処理を行い（▲３▼）、再び圧縮して（▲４▼）画像バス３００を介して圧縮された画像データ（３）としてデータ保持装置１００または画像バスに接続された他の処理手段などへ転送する。
【０００６】
このため、データ処理装置２００には大きなメモリを搭載する必要が出てくる。この従来技術では、図７の従来技術における「転送速度」に関して問題が解決するが、回路規模増大という問題が浮かび上がることになる。
【０００７】
図９に示した従来技術では、データ保持装置１００に保持された画像データ（１），（２）は図８に示した従来技術と同じように圧縮が施されており、図７の従来技術と同じように画像データ保持装置１００に保持された画像データ（１），（２）を、画像バス３００を介してデータ処理装置２００へ転送する。画像バス３００を介しデータ処理装置２００に転送しても画像データ（１），（２）は圧縮されているため画像バス３００の占有率を抑えることができ、さらに圧縮された画像データ（１），（２）はデータ量が少ないため転送時間を短縮することが可能である。
【０００８】
一方、データ処理装置２００では画像バスから転送された圧縮された画像データ（１），（２）を受け取り、所定の処理を行う。データ処理装置２００では２つの画像データ（１），（２）を処理する必要があるため画像データ（１），（２）を伸張する（▲１▼、▲２▼）。２つの画像データ（１），（２）をデータ処理装置２００では複数並列に配置された伸張器によって同時に起動させることにより、画像データが伸張された後、続けてデータ処理が行われる（▲３▼）ため、小規模なデータ処理用のメモリの搭載（▲４▼）でデータ処理を行うことができる。データ処理後、再び圧縮して（▲５▼）画像バス３００を介しデータ保持手段１００または画像バス３００に接続された他の処理手段などへ転送される。これにより図８の従来技術の「搭載メモリの増大」に関して問題が解決する。
【０００９】
【特許文献１】
特開２００１−１４４９２０号公報
【００１０】
【発明が解決しようとする課題】
前述のように図９に示した従来技術では、「搭載メモリの増大」に関して問題が解決するが、この従来技術ではデータ保持装置から受け取った圧縮された画像データを元の画像データに伸張してからデータ処理を行うので、データを伸張する時間、伸張され大きくなった画像データに対してデータ処理を行うために内部のデータ処理速度が低下してしまうという欠点が残る。
【００１１】
そこで、本発明の第１の目的は、高速で内部処理を行うことを可能にすることにある。
【００１２】
また、圧縮形式が異なるデータの場合には、一方の画像データについてのみ圧縮状態で処理可能であるが、他方の画像データについては圧縮状態での処理が行えない場合がある。
【００１３】
そこで、第２の目的は、データ形式が異なった場合においても、高速なデータ処理を可能とすることにある。
【００１４】
さらに、複数の異なる圧縮画像データが転送されてきたとき、記憶テーブルにから出力される圧縮画像データの形式が決まってしまい、任意の圧縮画像データ形式で画像バスに接続されるほかの処理手段に転送できない場合がある。
【００１５】
そこで、第３の目的は、必要とされる圧縮形式をもった圧縮画像データを転送することを可能にすることにある。
【００１６】
【課題を解決するための手段】
前記目的を達成するため、第１の手段は、データ保持手段から送信された画像データを同一画像バス上に配置された状態で送受信するためのインタフェース手段と、圧縮された画像データを伸張する伸張手段と、伸張された画像データを圧縮する圧縮手段と、画像データを処理するデータ処理手段とを備えた画像データ処理装置において、汎用圧縮形式のヘッダを付加するヘッダ付加手段を備え、前記ヘッダ付加手段は圧縮画像データに圧縮形式にあった汎用のヘッダを付加することを特徴とする。
【００１７】
第２の手段は、第１の手段において、前記データ処理手段は、同じ圧縮形態の場合、伸張せずに圧縮されたままの画像データをデータ処理することを特徴とする。
【００１８】
第３の手段は、第１または第２の手段において、複数のそれぞれ異なる前記伸張手段及び圧縮手段と、異なる圧縮形態の画像データを選択する選択手段と、伸張作業速度の順番を記憶する記憶テーブルと、前記記憶テーブルに記憶された伸張作業速度の順番に基づいて伸張作業速度の速い圧縮形態を伸張手段に、伸張された画像データを伸張されない画像データと同じ形態に圧縮を行うようにそれぞれを制御する選択制御手段とをさらに備えていることを特徴とする。
【００１９】
第４の手段は、第３の手段において、伸張、圧縮方式を外部から指示する指示手段と、圧縮画像データ形式を指示された方式に基づいて切り替える切り替え手段とをさらに備えていることを特徴とする。
【００２０】
第５の手段は、第１ないし第４の手段に係る画像データ処理装置と、前記画像データ処理装置によって処理された画像データに基づいて記録媒体に可視画像を形成する画像形成手段とから画像形成装置を構成したことを特徴とする。
【００２１】
第６の手段は、原稿を読み取る読み取り手段と、前記読取手段によって読み取られた原稿の画像データを処理する第１ないし第４の手段に係る画像データ処理装置とから画像形成装置を構成したことを特徴とする。
【００２２】
なお、第１ないし第４の手段に係る画像データ処理装置の各処理手段の処理はコンピュータプログラムに代えて実行することが可能であり、このコンピュータプログラムは例えば記録媒体に記録され、この記録媒体から読み出されてコンピュータにダウンロードすることができる。
【００２３】
【発明の実施の形態】
以下、本発明の実施の形態について図面を参照して説明する。
【００２４】
＜基本的構成＞
図１は本発明の実施形態に係る画像データ処理装置の基本的構成を示すブロック図である。なお、以下の説明において前述の従来技術と同等な各部には同一の参照符号を付し、重複する説明は適宜省略する。
【００２５】
図１において、本実施形態に係る画像データ処理装置は、概略的には、データを保持するデータ保持装置１００と、大量のデータを保持するためにＨＤＤなどの記憶媒体１１０と、データ保持装置１００に保持された画像データを処理するデータ処理装置２００と、データ保持装置１００とデータ処理装置２００を結ぶ画像バス３００とからなり、これによってシステムのデータ処理部を構成している。
【００２６】
この場合、データ処理装置２００の内部には画像バス３００を流れる画像データを送受信し、画像処理装置へ供給するインタフェース部２１０と、インタフェース部２１０で受けた画像データを伸張するための種類の異なる複数の伸張部２２０Ａ、２２０Ｂ・・・２２０ｎと、伸張された画像データに何らかの処理を施す画像処理部２３０と、画像処理された画像を圧縮するための種類の異なる複数の圧縮部２４０Ａ、２４０Ｂ・・・２４０ｎとが設けられている。また、インタフェース部２１０からＡ，Ｂ，…ｎ信号が出力され、伸張部２２０Ａ、２２０Ｂ・・・２２０ｎからＡ−ｄ，Ｂ−ｄ…ｎ−ｄ信号が出力され、圧縮部２４０Ａ、２４０Ｂ・・・２４０ｎからＡ−ｅ，Ｂ−ｅ…ｎ−ｅ信号が出力され、インタフェース部２１０に帰還し、画像バス３００へ転送される。
【００２７】
このように大略構成された画像データ処理装置では、まず、データ保持装置１００に格納された圧縮画像データが画像バス３００を介してデータ処理装置２００に転送される。データ処理装置２００では、インタフェース部２１０で圧縮画像データを受信する。受信された圧縮画像データは圧縮形式にあった伸張部２２０の１つに転送される。圧縮画像データは信号線Ａ（一例としてＡとするが、この限りではない）を通り伸張部２２０Ａへ送信される。伸張部２２０Ａで圧縮画像データが伸張された後、信号線Ａ−ｄを通り画像処理部２３０に転送される。画像処理手部２３０で処理されるデータは画像データであり、何らかの画像処理が行われた後に圧縮部２４０Ａへ転送され、圧縮処理が行われた圧縮画像データが信号線Ａ−ｅへ転送される。そして、この信号線Ａ−ｅを介してインタフェース部２１０にさらに転送され、圧縮部２４０Ａから受信した圧縮画像データが画像バス３００へ転送される。これが一般的な信号の流れである。
【００２８】
図２は図１に示すデータ処理装置２００を備えた画像形成装置の概略構成を示す図、図３は図２に示した画像形成装置の制御回路の概略構成を示すブロック図である。なお、図１に示したデータ処理装置は図３におけるＩＰＵ（画像処理ユニット）４９に含まれる。
【００２９】
以下、本実施形態に係る画像形成装置について説明する。
自動原稿送り装置（以後ＡＤＦ）１にある原稿台２に原稿の画像面を上にして置かれた原稿束は、操作部３０上のスタートキーが押下されると、一番下の原稿から給送ローラ３、給送ベルト４によってコンタクトガラス６上の所定の位置に給送される。読み取りユニット５０によってコンタクトガラス６上の原稿の画像データを読み取り後、読み取りが終了した原稿は、給送ベルト４及び排送ローラ５によって排出される。さらに、原稿セット検知センサ７によって原稿台２に次の原稿があることを検知した場合、前原稿と同様にコンタクトガラス６上に給送される。給送ローラ３、給送ベルト４、排送ローラ５は搬送モータ２６によって駆動される。
【００３０】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０によって読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ６０に排出される。
【００３１】
後処理装置のフィニシャ６０は、本体の排紙ローラ１９によって搬送された転写紙を、通常排紙ローラ６２方向と、ステープル処理部方向へに導くことができる。切り替え板６１を上に切り替えると、搬送ローラ６３を経由して通常排紙トレイ６４側に排紙し、切り替え板６１を下方向に切り替えると、搬送ローラ６５，６７を経由して、ステープル台６８に搬送することができる。
【００３２】
ステープル台６８に積載された転写紙は、一枚排紙されるごとに紙揃え用のジョガー６９によって、紙端面が揃えられ、一部のコピー完了と共にステープラ６６によって綴じられる。ステープラ６６で綴じられた転写紙群は自重によって、ステープル完了排紙トレイ７０に収納される。
【００３３】
一方、通常の排紙トレイ６４は前後に移動可能な排紙トレイである。前後に移動可能な排紙トレイ部６４は、原稿毎、あるいは、画像メモリによってソーティングされたコピー部毎に、前後に移動し、簡易的に排出されてくるコピー紙を仕分ける機能を有する。
【００３４】
転写紙の両面に画像を作像する場合は、各給紙トレイ８〜１０から給紙され作像された転写紙を排紙トレイ６４側に導かないで、経路切り替えのための分岐爪４１を上側にセットすることにより、一旦両面給紙ユニット１１１にストックする。その後、両面給紙ユニット１１１にストックされた転写紙は再び感光体１５に作像されたトナー画像を転写するために、両面給紙ユニット１１１から再給紙され、経路切り替えの為の分岐爪４１を下側にセットし、排紙トレイ６４に導く。この様に転写紙の両面に画像を作成する場合に両面給紙ユニット１１１は使用される。
【００３５】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００３６】
図３はメインコントローラを中心に、制御装置を図示したものである。メインコントローラ２０は画像形成装置全体を制御する。メインコントローラ２０には、紙搬送等に必要なメインモータ２５、各種クラッチ２１〜２４が接続されている。また、オペレータに対する表示、オペレータからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。前記表示スプレイ３１を介して行われ、オペレータからの機能設定入力はキー入力手段３２によって行われる。各分散制御装置とメインコントローラ２０は必要に応じて機械の状態、動作司令のやりとりを行っている。各分散制御装置が実行する制御プログラムは各分散制御装置内部のＲＯＭに格納されている。メインコントローラ２０にはＩＣカードスロット２７が接続されており、ＩＣカードスロット２７を介して、画像形成装置外部のＩＣカードに格納されている制御プログラムデータを分散制御装置内部のＲＯＭにダウンロードし、制御プログラムを変更することが可能である。
【００３７】
再び図２を用いて画像形成装置における画像読み取りから画像の書き込みまでの動作を説明する。
【００３８】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジ第２キャリッジとが２対１の相対速度で機械的に走査される。
【００３９】
この光学走査系は、図示しないスキャナ駆動モータにて駆動される。原稿画像は、ＣＣＤイメージセンサ５４によって読み取られ、電気信号に変換されて処理される。レンズ５３及びＣＣＤイメージセンサ５４を図７において左右方向に移動させることにより、画像倍率が変わる。すなわち、指定された倍率に対応してレンズ５３及びＣＣＤイメージセンサ５４の左右方向に位置が設定される。
【００４０】
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。
【００４１】
レーザ出力ユニット５８より照射されるレーザ光は、定速回転するポリゴンミラーで偏向され、結像レンズ５９を通り、ミラー６０で折り返され、感光体１５面上に集光結像する。
【００４２】
偏光されたレーザ光５７は感光体１５が回転する方向と直行する方向（主走査方向）に露光走査され、後述する画像処理部のセレクタより出力された画像信号のライン単位の記録を行う。感光体１５の回転速度と記録密度に対応した所定の周期で主走査を繰り返すことによって、感光体面上に画像（静電潜像）が形成される。
【００４３】
上述のように、書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００４４】
なお、図２に示した画像形成装置はＭＦＰ複写機として機能する。
【００４５】
＜第１の実施形態＞
図４は、ヘッダ付加部を有する本発明の第１の実施形態に係る画像データ処理装置の構成を示すブロック図である。
【００４６】
この実施形態は、図１の基本構成に対して伸張部２２０及び圧縮部２４０を経てインタフェース部２１０への戻る経路とは別に、伸張、圧縮を行わないでデータを処理し、インタフェース部２１０に転送するデータ処理部２５０と、このデータ処理部からインタフェース部２１０に戻る１つの回路に汎用ヘッダ付加部２１１を設けたものである。
【００４７】
この実施形態においても、データ保持装置１００には圧縮された画像データが格納してある。データ処理装置２００では複数の圧縮画像データ同士のデータ処理を行う。圧縮画像データを転送する画像バス３００はデータ転送を細切れに行うためほぼ同時に複数の圧縮画像データを転送することができる。例えば、２つの圧縮画像データをデータ処理装置２００で処理する場合には、データ保持装置１００に保持された２つの圧縮画像データ、これらを画像Ａ、画像Ｂとすると、画像Ａと画像Ｂは画像バス３００を介してデータ処理装置２００のインタフェース部２１０へ転送される。インタフェース部２１０で受け取った画像Ａと画像Ｂはそれぞれ、画像Ａは信号線Ａを、画像Ｂは信号線Ｂを使用し転送される。例えば、この画像Ａ、画像Ｂが４ｘ４固定変倍方式などが使われているとして、それぞれの画像Ａ、画像Ｂはデータ処理部２５０へ直接転送される。
【００４８】
データ処理部２５０では４ｘ４のブロック単位でデータ処理を行う。例えば、２つの画像データ画像Ａと画像Ｂを合成させる場合、出力画像データには４ｘ４のブロック単位で色濃い圧縮画像データの方を選んで出力させることにより、２つの圧縮画像データを４ｘ４単位で合成ができる。また、データ保持装置１００に保持された２つの圧縮画像データ画像Ａを、画像バス３００を介してデータ処理装置２００のインタフェース部２１０へ転送し、画像Ａは信号線Ａを使用して転送し、データ処理部２５０へ直接転送する。間引きのようなデータ処理の場合４ｘ４のブロック単位の圧縮画像データを、間引く、間引かない、間引く、間引かない…を続けることにより半分の量の圧縮画像データを出力することができ、結果的に間引きができる。
【００４９】
それぞれの場合の出力圧縮画像データはデータ処理部２５０から汎用ヘッダ付加部２１１へ転送し、汎用ヘッダを付加したのち、インタフェース部２１０へ転送される。インタフェース部２１０はデータ処理部２５０から受信した圧縮画像データを画像バス３００に転送し、圧縮画像データはデータ保持装置１０に保持される。
【００５０】
本実施形態によれば、データ保持装置１００から送信される圧縮された画像データを圧縮された状態でデータ処理することが可能なので、圧縮された画像データを画像データに伸張する必要がなくなる。このように圧縮された画像データを伸張しないで画像処理を行うため、画像データが増えることがなくなり、高速で内部処理できる。また、汎用圧縮形式画像データは汎用バスを介して外部へ出力してもそのまま使用できる。
【００５１】
＜第２の実施形態＞
図５は、異なる圧縮形式の画像データを選択する選択部と、伸張作業速度の順番を記憶した記憶テーブルを有する本発明の第２の実施形態に係る画像データ処理装置の構成を示すブロック図である。
【００５２】
第１の実施形態では、同じ圧縮形態を持った画像データに対して伸張をせずにデータ処理を行うことができるが、異なる圧縮形態を持った画像データに対して圧縮された状態のままデータ処理ができないと言う欠点が残る。そこで、この第２の実施形態では、伸張作業速度の順番を記憶してある記憶テーブルと、記憶テーブルを元に伸張作業速度の速い圧縮形態を伸張手段に、伸張された画像データを伸張されない画像データと同じ形態に圧縮を行うようにそれぞれを制御する選択制御部と、汎用圧縮形式のヘッダを付加するヘッダ付加部と設け、複数の異なる圧縮形態をもった画像データを伸張圧縮処理が高速な圧縮画像データ形態を一度画像データにし、もう一方の圧縮画像形態に合わせることにより、圧縮画像形式にあったヘッダを付加し、同じ圧縮画像データ形態同士のデータ処理を高速に行うことができるようにした。
【００５３】
図５のデータ保持装置１００には圧縮された画像データが格納されている。データ処理装置２００では複数の異なる形式を持った圧縮画像データ同士のデータ処理が行われる。圧縮画像データを転送する画像バス３００はデータ転送を細切れに行うためほぼ同時に複数の圧縮画像データを転送することができる。この場合、データ保持装置１００に格納されている２つの異なる形式を持った圧縮画像データを圧縮形式Ａの画像Ａ、圧縮形式Ｂの画像Ｂとすると、画像Ａと画像Ｂは画像バス３００を介してデータ処理装置２００のインタフェース部２１０へ転送される。インタフェース部２１０で受け取った画像Ａと画像Ｂはそれぞれ、画像Ａは信号線Ａを、画像Ｂは信号線Ｂを使用し、それぞれ転送されるが、このとき、異なる圧縮形式を持った画像データ同士ではデータ処理ができないため、どちらかの圧縮画像データをどちらかの圧縮形態に合わせなければならない。そこで、インタフェース部２１０は第１の選択部２１３へ圧縮形式Ａの画像Ａ、圧縮形式Ｂの画像Ｂをそれぞれ転送する。
【００５４】
第１の選択部２１３は選択制御部２１４により制御され、当該選択制御部２１４はテーブル２１５の内容に沿って第１の選択部２１３を制御する。例えば、圧縮形式が速度の速い順に「Ａ，Ｂ，…ｎ」という順番で定義されているとすると、この場合、圧縮形式Ａの画像Ａを処理する方が高速になるので、圧縮形式Ａの画像Ａを伸張部２２０Ａに転送し、圧縮画像データを伸張する。伸張された画像データはさらに第２の選択部２１６へ転送され、第２の選択部２１６では圧縮形式Ｂの画像Ｂと同じ形式の圧縮形式に圧縮するために画像データＡを圧縮部２４０Ｂへ転送する。
【００５５】
圧縮部２４０Ｂは画像データＡを圧縮し、圧縮画像データＡ＿Ｂにしてデータ処理部２５０へ転送する。前段にある第１の選択部２１３では圧縮形式Ｂの画像Ｂはそのままデータ処理部２５０へ転送する。データ処理部２５０では４ｘ４のブロック単位でデータ処理を行う。例えば、２つの画像データ画像Ａと画像Ｂを合成させる場合、出力画像データには４ｘ４のブロック単位で色濃い圧縮画像データの方を選び、出力させることにより、２つの圧縮画像データを４ｘ４単位で合成ができる。
【００５６】
それぞれの場合の出力圧縮画像データはデータ処理部２５０から汎用ヘッダ付加部２１１へ転送され、テーブル２１５の内容で決められる汎用ヘッダを付加したのち、インタフェース部２１０へ転送される。そして、インタフェース部２１０はデータ処理部２５０から受信した圧縮画像データを画像バス３００に転送する。
【００５７】
このように本実施形態によれば、複数の異なる圧縮形式をもった画像データのうち伸張圧縮処理が高速な方の圧縮画像データ形態を一度画像データにし、もう一方の圧縮画像形態に合わせて圧縮することにより、圧縮画像形式にあったヘッダを付加するとともに、結果として、同じ圧縮画像データ形式同士のデータ処理を高速に行うことができる。言い換えると、異なる画像データ形式でも圧縮画像データ同士の高速なデータ処理が可能である。
【００５８】
＜第３の実施形態＞
第２の実施形態では、複数の異なる圧縮画像データが転送されてきたとき、記憶テーブルにより出力される圧縮画像データ形式が決まってしまい、任意の圧縮画像データ形式で画像バスに接続されるほかの処理手段に転送することができなった。そこで、この実施形態では、選択する伸張、圧縮方式を用途に応じて外部から制御することができるインタフェースを設け、出力したい圧縮画像データ形式を任意に切り替えることができるようにしたもので、任意の圧縮形式を選び、選択制御手段で選択手段を制御することにより、必要とされる圧縮形式をもった圧縮画像データおよび、圧縮画像形式にあったヘッダを付加して転送することができるようにしたものである。
【００５９】
この第３の実施形態は、図６に示すように図５に示した第２の実施形態において、テーブル２１５を省略するとともに、選択制御部２１４に対し外部から第１及び第２の選択部２１３，２１６の切換を可能としたものである。
【００６０】
図６において、データ保持装置１００には圧縮された画像データが格納してある。データ処理装置２００では複数の異なる形式を持った圧縮画像データ同士のデータ処理を行う。圧縮画像データを転送する画像バス３００はデータ転送を細切れに行うためほぼ同時に複数の圧縮画像データを転送することができる。この場合、データ保持装置１００に保持された２つの異なる形式を持った圧縮画像データ、圧縮形式Ａの画像Ａ、圧縮形式Ｂの画像Ｂとすると、画像Ａと画像Ｂは画像バス３００を介してデータ処理装置２００のインタフェース部２１０へ転送される。インタフェース部２１０で受け取った画像Ａと画像Ｂはそれぞれ、画像Ａは信号線Ａを、画像Ｂは信号線Ｂを使用し転送される。
【００６１】
このとき、異なる圧縮形式を持った画像データ同士ではデータ処理ができないため、どちらかの圧縮画像データをどちらかの圧縮形態に合わせなければならない。インタフェース部２１は第１の選択部２１３へ圧縮形式Ａの画像Ａ、圧縮形式Ｂの画像Ｂを転送する。第１の選択手部２１３は選択制御部２１４によって制御され、また、選択制御部２１４は外部からの指示入力２１４ａにより制御される。
【００６２】
例えば速度が速い順にすると「Ａ，Ｂ，…ｎ」という順番になるが、最終的に出力したい圧縮形態はＡであるとする。選択制御部２１４は外部から「最終圧縮形態はＡ」という命令を受ける。この場合、圧縮形式Ｂの画像Ｂを処理しなければならないので、圧縮形式Ｂの画像Ｂを伸張手段Ｂに転送し、圧縮画像データを伸張する。伸張された画像データＢを第２の選択部２１６へ転送し、第２の選択手部２１６は圧縮形式Ａの画像と同じ形式の圧縮形式に圧縮するために画像データＢを圧縮部２４０Ａへ転送する。圧縮部２４０Ａは画像データＢを圧縮し、圧縮画像データＢ＿Ａにしてデータ処理手段へ転送する。前段にある第１の選択部２１３では圧縮形式Ａの画像Ａをデータ処理部２５０へ転送する。
【００６３】
データ処理部２５０では４ｘ４のブロック単位でデータ処理を行う。例えば、２つの画像データ画像Ａと画像Ｂを合成させる場合、出力画像データには４ｘ４のブロック単位で色濃い圧縮画像データの方を選び、出力させることにより、２つの圧縮画像データを４ｘ４単位で合成ができる。それぞれの場合の出力圧縮画像データはデータ処理部２５０から汎用ヘッダ付加部２１１へ転送され、汎用ヘッダ付加手部２１１で命令通りの「最終圧縮形態Ａ」の汎用ヘッダを付加したのち、インタフェース部２１０へ転送される。
【００６４】
インタフェース部２１０はデータ処理部２５０から受信した圧縮画像データを画像バス３００に転送する。また、このときはたまたま「最終圧縮形態はＡ」ということで、転送される圧縮画像データが該当したが、転送される圧縮形態を「最終圧縮形態はＣ」と言う命令を受けるという形で転送されてこない形態への出力を命令することがある。あるいは命令することができる。この場合、圧縮形式Ａの画像Ａを信号線Ａ＿ｓｅｌ２を使用して伸張部２２０Ａに転送し、圧縮画像データを伸張する。そして、伸張された画像データＡを第２の選択部２１６へ転送し、第２の選択部２１６は圧縮形式Ｃの形式の圧縮形式に圧縮するために画像データＡを圧縮部２４０Ｃ（図示せず）へ転送する。
【００６５】
圧縮手段Ｃは画像データＡを圧縮し、圧縮画像データＡ＿Ｃにしてデータ処理部２５０へ転送する。また同じように圧縮形式Ｂの画像Ａを信号線Ｂ＿ｓｅｌ２を使用して伸張部２４０Ｂに転送し、圧縮画像データを伸張する。伸張された画像データＢは第２の選択部２１６へ転送され、さらに、画像データＢは圧縮形式Ｃの形式の圧縮形式に圧縮するために第２の転写部２１６から圧縮部２４０Ｃへ転送される。
【００６６】
画像データＢは圧縮部２４０Ｃで圧縮され、圧縮画像データＢ＿Ｃにしてデータ処理部２５０へ転送される。このように圧縮画像データＡと圧縮画像データＢは最終的に圧縮画像データＣとなりデータ処理部２５０でてデータ処理を行い、命令通りの「最終圧縮形態Ｃ」で汎用ヘッダ付加部２１１へ転送される。そして、汎用ヘッダ付加部２１１で命令通りの「最終圧縮形態Ｃ」の汎用ヘッダが付加された画像データは、インタフェース部２１０へ転送され、インタフェース部２１０はデータ処理部２５０から受信した圧縮画像データを画像バス３００に転送する。
【００６７】
このように本実施形態によれば、任意の圧縮形式を選び、選択制御部２１４で第１及び第２の選択部２１３，２１６を制御することにより、必要とされる圧縮形式をもった圧縮画像データおよび、圧縮画像形式にあったヘッダを付加し、このヘッダが付加された画像を転送することが可能になる。
【００６８】
なお、前記第１ないし第３の実施形態では、画像データ処理装置について詳細に説明しているが、この画像データ処理装置を図２に示した画像形成装置あるいは画像形成装置に付設された読み取りユニット５０に設け、データ処理された画像データに基づいて画像を形成し、あるいは読み取った原稿の画像データを処理して書き込みユニット５７に入力して画像書き込みを行わせるように構成することもできる。また、読み取りユニット５０は独立したスキャナとして構成することもできるので、読み取りユニット５０でデータ処理を行い、ファクシミリに入力したり、パーソナルコンピュータなどの情報処理装置に入力するように構成することもできる。その場合には、前記第１ないし第３の実施形態の効果を画像形成装置あるいはスキャナで得ることが奏することができる。
【００６９】
なお、前記第１ないし第３の実施形態においてデータ処理装置で実行される処理はコンピュータプログラムに代えて実行することができる。また、このコンピュータプログラムは例えば記録媒体に記録され、この記録媒体から読み出されてダウンロードし、使用される。
【００７０】
【発明の効果】
以上のように本発明によれば、前述のように構成されているので、
▲１▼高速で内部処理を行うことが可能である。
▲２▼データ形式が異なった場合においても、高速なデータ処理が可能である。
▲３▼必要とされる圧縮形式をもった圧縮画像データを転送することが可能である。
という効果を奏する。
【図面の簡単な説明】
【図１】本発明の実施形態に係る画像データ処理装置の基本的な構成を示すブロック図である。
【図２】本発明の実施形態に係る画像読み取りユニットを含む画像形成装置の概略構成を示す図である。
【図３】図２に示した画像形成装置の制御回路の概略構成を示すブロック図である。
【図４】本発明の第１の実施形態に係る画像データ処理装置の構成を示すブロック図である。
【図５】本発明の第２の実施形態に係る画像データ処理装置の構成を示すブロック図である。
【図６】本発明の第３の実施形態に係る画像データ処理装置の構成を示すブロック図である。
【図７】従来例に係る画像データ処理装置の構成を示すブロック図である。
【図８】他の従来例に係る画像データ処理装置の構成を示すブロック図である。
【図９】さらに他の従来例に係る画像データ処理装置の構成を示すブロック図である。
【符号の説明】
５０  読み取り装置
５７  書き込み装置
１００  データ保持装置
１１０  ＨＤＤ
２００  データ処理装置
２１０  インタフェース部
２１１  ヘッダ付加部
２１３  第１の選択部
２１４  選択制御部
２１４ａ  外部からの指示入力
２１５  テーブル
２１６  第２の選択部
２２０，２２０Ａ，２２０Ｂ・・・２２０ｎ  伸張部
２３０  画像処理部
２４０，２４０Ａ，２４０Ｂ・・・２４０ｎ  圧縮部
２５０  データ処理部
３００  画像バス
【図１】
2004289404.tif 000003
【図２】
2004289404.tif 000004
【図３】
2004289404.tif 000005
【図４】
2004289404.tif 000006
【図５】
2004289404.tif 000007
【図６】
2004289404.tif 000008
【図７】
2004289404.tif 000009
【図８】
2004289404.tif 000010
【図９】
2004289404.tif 000011